(57)【要約】      （修正有）【課題】ポケット本体内の洗浄を容易なものとしてポケット本体内の底部の隅々まで清潔を保持可能とするとともに、繰り返しの使用が可能な収納ポケットを提供する。【解決手段】基布１に表布２を重ね合わせ、この基布１と表布２とを表布２の底縁１０側にて接合して底縁接合部１２を形成するとともに、この基布１と表布２とを上下方向に接合する上下方向接合部１３を、間隔を介して１箇所又は複数箇所設けることにより、上端に開口部１７を設けた複数のポケット本体３を並列したものにおいて、底縁接合部１２に沿って、基布１及び表布２の一側から他側までを外部と連通した連通部１５，１６を設け、開口部１７から流入した流体を連通部１５，１６から外方に流通可能とする。【選択図】図１
0003184460.tif 000002
【実用新案登録請求の範囲】
【請求項１】
基布に表布を重ね合わせ、この基布と表布とを表布の底縁側にて接合して底縁接合部を形成するとともに、この基布と表布とを上下方向に接合する上下方向接合部を、間隔を介して１箇所又は複数箇所設けることにより、上端に開口部を設けた複数のポケット本体を並列したものにおいて、底縁接合部に沿って、基布及び表布の一側から他側までを外部と連通した連通部を設け、開口部から流入した流体を連通部から外方に流通可能としたことを特徴とする手術用縫合糸又は手術器械用の収納ポケット。
【考案の詳細な説明】
【技術分野】
【０００１】
本考案は、手術の際に使用する手術用縫合糸又は手術器械の収納ポケットに関するものである。
【背景技術】
【０００２】
特許文献１に示す如く、従来より手術の際に使用する手術用縫合糸や手術器械を収納するための収納ポケットが知られている。特許文献１に記載の収納ポケットは、手術用縫合糸を収めたケースを収納するものであって、複数のポケット本体を並列に設けたものである。
【先行技術文献】
【特許文献】
【０００３】
【特許文献１】特開２００６−１９２２０６号公報
【考案の開示】
【考案が解決しようとする課題】
【０００４】
しかしながら、上記の如き収納ポケットは、特に底部付近にゴミや汚れ等がたまりやすいものとなるが、手術用縫合糸や手術用器械を収納するものであるため内部の隅々まで清潔を保持する必要がある。そのため、一度手術で使用した収納ポケットを再利用する場合には、ポケット本体の底部まで確実に洗浄しなければならないが、特許文献１に記載のポケット本体の如く幅が狭く底が深いポケット本体等の場合には洗浄作業に手間がかかるとともに、底部まで確実にゴミや汚れなどを取り除くことが困難となっていた。
【０００５】
そこで、本考案は上述の如き課題を解決しようとするものであって、ポケット本体内の洗浄を容易なものとしてポケット本体内の隅々まで清潔を保持可能とするとともに、繰り返しの使用が可能な手術用縫合糸又は手術用器械用の収納ポケットを得ようとするものである。
【課題を解決するための手段】
【０００６】
本考案は上述の如き課題を解決するため、基布に表布を重ね合わせ、この基布と表布とを表布の底縁側にて接合して底縁接合部を形成するとともに、この基布と表布とを上下方向に接合する上下方向接合部を、間隔を介して１箇所又は複数箇所設けることにより、上端に開口部を設けた複数のポケット本体を並列したものにおいて、底縁接合部に沿って、基布及び表布の一側から他側までを外部と連通した連通部を設け、開口部から流入した流体を連通部から外方に流通可能としたものである。
【考案の効果】
【０００７】
本考案は上述の如く、基布及び表布の一側から他側までを外部と連通した連通部を底縁接合部に沿って設け、開口部から流入した流体を連通部から外方に流通可能としたものであるから、開口部から洗浄液をポケット本体内に流入させて、ポケット本体内の底部にたまった汚れやごみ等を洗浄液とともに連通部を介して外方に流出させることができるため、ポケット本体内の洗浄を容易なものとして清潔を保持することができるとともに、繰り返しの使用が可能となる。
【図面の簡単な説明】
【０００８】
【図１】本考案の実施例１を示す表面側の平面図。
【図２】実施例１の裏面側の平面図。
【図３】図１のＡ−Ａ線断面図。
【図４】図１の端面図。
【実施例１】
【０００９】
本考案の実施例１を以下に説明すると、(1)は基布であって、この基布(1)に表布(2)を接合することによってポケット本体(3)を形成している。本実施例について更に詳細に説明すると、本実施例では図１〜３に示す如くポケット本体(3)を上下に２段形成するため、第１表布(4)と第2表布(5)の２枚の表布(2)を使用している。尚、本実施例の上下方向は図１〜４の上下方向に準ずるものである。
【００１０】
まず、基布(1)の表面(6)に、基布(1)の形成幅と同じ形成幅とするとともに、基布(1)の上下方向の長さよりも上下方向長さの短い第１表布(4)を、基布(1)と第１表布(4)の両端を揃えるとともに、基布(1)の長さ方向中央部に第１表布(4)が位置するよう重ね合わせる。そして、図２に示す如く第１表布(4)の底縁(7)側をミシンにて基布(1)に縫合し、この縫合部分を第１底縁接合部(11)としている。
【００１１】
また、上記の如く基布(1)に縫合した第１表布(4)の上には、第2表布(5)を配置している。即ち図１、３に示す如く、第2表布(5)を第１表布(4)の上から、基布(1)と第2表布(5)の両端及び底縁(7)(8)(10)を揃えた状態で重ね合わせる。そしてこの状態で、図１に示す如く基布(1)の底縁(8)側と第2表布(5)の底縁(10)側とをミシンにて縫合し、この縫合部分を第2底縁接合部(12)としている。
【００１２】
そして、上記の如く基布(1)と第１表布(4)及び第2表布(5)とを底縁(7)(8)(10)側にて接合した状態で、図１に示す如く、基布(1)及び第１、第2表布(4)(5)の一側から他側の間隔に６箇所、等間隔で第１表布(4)の上端から第2表布(5)の底縁(10)側まで上下方向に縫合し、この縫合部分を上下方向接合部(13)としている。
【００１３】
上記各上下方向接合部(13)について詳細に説明すると、図１、２に示す如く、この接合部は第１表布(4)の上端から第１底縁接合部(11)よりも一定間隔を介した上方まで縫合され、更に第１底縁接合部(11)から第2底縁接合部(12)よりも一定間隔を介した上方まで縫合されている。これにより、第１底縁接合部(11)及び第2底縁接合部(12)に沿って、それぞれ図４に示す基布(1)及び第１、第2表布(4)(5)の両端に形成された端部開口部(14)を介して外部と連通した第１連通部(15)及び第2連通部(16)がそれぞれ形成されるものとなる。
【００１４】
上記の如く形成することにより、図１に示す如く上端を開口部(17)としたポケット本体(3)が第１表布(4)、第2表布(5)にそれぞれ５個ずつ並列して形成されるものとなる。また、各ポケット本体(3)の開口部(17)から連通部までが連通した状態となるため、開口部(17)から液体を流入した場合には、連通部、及び上記端部開口部(14)を介して外方に液体が流出するものとなる。
【００１５】
そのため、本実施例の収納ポケットは洗浄時において、開口部(17)から洗浄液をポケット本体(3)内に流入させて、ポケット本体(3)の底部にたまった汚れやごみなどを洗浄液とともに連通部及び端部開口部(14)を介して外方に流出させることができるものとなる。従って、ポケット本体(3)内の洗浄を容易なものとして清潔を保持することができるとともに、繰り返しの使用が可能となる。
【符号の説明】
【００１６】
１  基布
２  表布
３  ポケット本体
４  第１表布
５  第２表布
７、８、１０  底縁
１１  第１底縁接合部
１２  第２底縁接合部
１３  上下方向接合部
１５  第１連通部
１６  第２連通部
１７  開口部
【図１】
0003184460.tif 000003
【図２】
0003184460.tif 000004
【図３】
0003184460.tif 000005
【図４】
0003184460.tif 000006